(57)【要約】【課題】  薬剤を無駄なく経済的に使用できるとともに、製造効率を向上させる。【解決手段】  流動状の薬剤が充填され先端先細りの先端部１１から薬剤を吐出させるカートリッジ１と、一端４１側にカートリッジ１が着脱可能に取り付けられる筒状のバレル４０及びバレル４０の他端４２側から進出可能に挿通され進出によりカートリッジ１内の薬剤を押出すロッド５０を有した押出し器３０とを備え、カートリッジ１を、基端部１２に開放口が形成されるとともに開放口に連続して形成され薬剤を収容する先端先細りの収容空間を有したシリンダ１０と、シリンダ１０の開放口に嵌合されて開放口を封止するとともに押出し器３０のロッド５０に押圧されてシリンダ１０の収容空間内を摺接移動する後端部２１及び後端部２１に一体に設けられ移動させられてシリンダ１０の収容空間の先端部に嵌合する前端部２２からなるピストン２０とを備えて構成した。【選択図】図１
2010099135.tif 000002
【特許請求の範囲】
【請求項１】
流動状の薬剤が充填され先端先細りの先端部から薬剤を吐出させるカートリッジと、一端側に上記カートリッジが着脱可能に取り付けられる筒状のバレル及び該バレルの他端側から進出可能に挿通され進出により上記カートリッジ内の薬剤を押出すロッドを有した押出し器とを備えた薬剤塗布装置において、
上記カートリッジを、基端部に開放口が形成されるとともに該開放口に連続して形成され薬剤を収容する先端先細りの収容空間を有したシリンダと、該シリンダの開放口に嵌合されて該開放口を封止するとともに上記押出し器のロッドに押圧されて上記シリンダの収容空間内を摺接移動する後端部及び該後端部に一体に設けられ移動させられて上記シリンダの収容空間の先端部に嵌合する前端部からなるピストンとを備えて構成したことを特徴とする薬剤塗布装置。
【請求項２】
上記ピストンを、上記シリンダの収容空間に倣って変形可能な部材で形成したことを特徴とする請求項１記載の薬剤塗布装置。
【請求項３】
上記カートリッジを、上記シリンダの基端部外周に鍔部を設けて構成し、上記押出し器のバレルを、上記ロッドが移動可能に挿通されるバレル本体を備えて構成し、該バレル本体の一端側側面に上記カートリッジを上記バレル本体内部に入れることが可能な大きさの開口を形成し、上記バレル本体の一端に上記開口から入れられた上記シリンダの先端部側が挿通されて突出され該バレル本体の内径より小径の挿通孔を形成し、該挿通孔の周縁部を上記カートリッジの鍔部が係止される係止部として構成したことを特徴とする請求項１または２記載の薬剤塗布装置。
【請求項４】
上記カートリッジのシリンダの基端部に雄ネジ及び雌ネジのいずれか一方を形成し、上記押出し器のバレルを、上記ロッドが移動可能に挿通されるバレル本体を備えて構成し、該バレル本体の一端部に上記シリンダの基端部に形成した雄ネジ及び雌ネジのいずれか一方に螺合する雄ネジ及び雌ネジのいずれか他方を形成したことを特徴とする請求項１または２記載の薬剤塗布装置。
【請求項５】
上記シリンダを樹脂で形成し、その先端部を、予め封止され使用時に切断されて上記収容空間内の薬剤を吐出させる吐出口を形成可能にしたことを特徴とする請求項１乃至４何れかに記載の薬剤塗布装置。
【請求項６】
上記請求項１乃至５のいずれかに記載のカートリッジ。
【発明の詳細な説明】
【技術分野】
【０００１】
本発明は、例えば、歯科治療等において流動状の薬剤を塗布する薬剤塗布装置に係り、特に、薬剤が封入されたカートリッジから押出し器により薬剤を押出すようにし、カートリッジを使い捨てにして、再使用出来ないようにした薬剤塗布装置に関する。また、この薬剤塗布装置に用いられる薬剤塗布装置用カートリッジに関する。
【背景技術】
【０００２】
従来、この種の薬剤塗布装置としては、例えば、特許文献１（特開２００１−１１２７８２号公報）に掲載されたものが知られている。図１１に示すように、この薬剤塗布装置Ｓａは、流動状の薬剤Ｙａが封入され先端先細りの先端部１０１から薬剤Ｙａを吐出させるカートリッジ１００と、一端１１２側にカートリッジ１００が着脱可能に取り付けられるバレル１１１及びこのバレル１１１の他端１１３側から挿通されカートリッジ１００内の薬剤Ｙａを押出すためのロッド１１４を備えた押出し器１１０とを備えて構成されている。カートリッジ１００は、樹脂で中空形成され、基端部１０２側に薬剤Ｙａを溜める袋状の貯留部１０３が形成され、先端部１０１が予め封止されている。
【０００３】
この薬剤塗布装置Ｓａを用いて薬剤Ｙａを被塗布部位に塗布するときは、先ず、図１１（Ａ）に示すように、カートリッジ１００をバレル１１１の一端１１２側に取り付け、カートリッジ１００の先端部１０１をバレル１１１の一端１１２から突出させる。次に、図１１（Ｂ）に示すように、バレル１１１の他端１１３側からロッド１１４を挿通する。それから、カートリッジ１００の先端部１０１を切断してカートリッジ１００内の薬剤Ｙａを吐出させる吐出口１０４を形成する。その後、カートリッジ１００の先端部１０１を被塗布部位近傍に位置させ、ロッド１１４をバレル１１１の一端１１２側へ押し込む。
ロッド１１４を押し込むと、図１１（Ｃ）に示すように、カートリッジ１００の基端部１０２がロッド１１４に押圧されて潰れ、これによってカートリッジ１００内の薬剤Ｙａが押出されて、薬剤Ｙａが吐出口１０４から吐出され、被塗布部位に薬剤Ｙａが塗布される。
【０００４】
【特許文献１】特開２００１−１１２７８２号公報
【発明の開示】
【発明が解決しようとする課題】
【０００５】
しかしながら、この従来の薬剤塗布装置Ｓａにおいては、カートリッジ１００をロッド１１４で押圧することにより薬剤Ｙａを吐出口１０４から吐出させているが、カートリッジ１００は袋状に形成され、ロッド１１４はこの袋状に形成された貯留部１０３を押圧するだけなので、カートリッジ１００の先端部１０１に薬剤Ｙａが残留してしまい、それだけ、無駄が生じ、不経済であるという問題があった。
また、カートリッジ１００は中空形成されて封止されるので、薬剤Ｙａの封入作業が煩雑でカートリッジ１００の製造効率が悪いという問題もあった。
【０００６】
本発明は、このような問題点に鑑みてなされたもので、薬剤を無駄なく経済的に使用できるとともに、製造効率を向上させた薬剤塗布装置及び薬剤塗布装置用カートリッジを提供することを目的とする。
【課題を解決するための手段】
【０００７】
このような目的を達成するため、本発明の薬剤塗布装置は、流動状の薬剤が充填され先端先細りの先端部から薬剤を吐出させるカートリッジと、一端側に上記カートリッジが着脱可能に取り付けられる筒状のバレル及び該バレルの他端側から進出可能に挿通され進出により上記カートリッジ内の薬剤を押出すロッドを有した押出し器とを備えた薬剤塗布装置において、上記カートリッジを、基端部に開放口が形成されるとともに該開放口に連続して形成され薬剤を収容する先端先細りの収容空間を有したシリンダと、該シリンダの開放口に嵌合されて該開放口を封止するとともに上記押出し器のロッドに押圧されて上記シリンダの収容空間内を摺接移動する後端部及び該後端部に一体に設けられ移動させられて上記シリンダの収容空間の先端部に嵌合する前端部からなるピストンとを備えて構成している。
【０００８】
これにより、この薬剤塗布装置を用いて薬剤を被塗布部位に塗布するときは、先ず、カートリッジをバレルの一端側に取り付ける。次に、カートリッジの先端部を被塗布部位近傍に位置させ、ロッドをバレルの先端部側へ押し込む。ロッドを押し込むと、ピストンの後端部がロッドに押圧され、後端部がシリンダの収容空間内を先端部側に摺接移動するようになる。これによって収容空間内の薬剤が押出されて、薬剤が先端部から吐出され、被塗布部位に薬剤が塗布される。このとき、ロッドを僅かずつ押せば、薬剤を僅かずつ吐出させることができる。そして、ピストンを押しきれば、ピストンの前端部がシリンダの収容空間の先端部に嵌合されるので、シリンダの収容空間内の薬剤が殆ど全部押出されるようになり、そのため、収容空間内に収容された薬剤を無駄なく経済的に使用することができる。
【０００９】
そして、シリンダの収容空間内に収容されている薬剤が無くなったならば、カートリッジを押出し器から取り外す。その後、新しいカートリッジを押出し器に取り付け、上記と同様に被塗布部位に薬剤を塗布していく。使用後のカートリッジは、ピストンがシリンダ内の先端部に押し込まれた状態となっているので、ピストンをシリンダ内から取り出すことは非常に困難であり、押出し器から取り外した使用後のカートリッジに薬剤を再充填することが非常に困難になるため、使用後のカートリッジを再使用することを防止して、薬剤塗布装置を介した病原菌の感染を防止することができる。
【００１０】
また、本発明のカートリッジを製造するときは、シリンダの基端部に形成された開放口から収容空間内に薬剤を充填し、それから、ピストンを開放口に嵌合させて、このピストンによって開放口を封止することにより行なう。シリンダの基端部に開放口が形成されているので、薬剤を収容空間内に充填し易い。また、ピストンを嵌合させるだけで開放口を封止できるので、開放口の封止が比較的容易であり、そのため、カートリッジの製造効率を向上させることができる。
【００１１】
そして、必要に応じ、上記ピストンを、上記シリンダの収容空間に倣って変形可能な部材で形成した構成としている。シリンダとしては、その軸線がストレートなタイプあるいは軸線が途中から屈曲してシリンダ全体が屈曲したタイプ等種々の形状に形成できるが、例えば、シリンダが屈曲形成されている場合には、収容空間も曲がり、ピストンが移動し難くなるが、本構成では、ピストンが収容空間の形状に倣って変形することができるので、ピストンの前端部が収容空間の先端部に確実に嵌合するようになる。その結果、シリンダの収容空間内の薬剤が殆ど全部押出されるようになり、そのため、収容空間内に収容された薬剤を無駄なく経済的に使用することができる。
【００１２】
また、必要に応じ、上記カートリッジを、上記シリンダの基端部外周に鍔部を設けて構成し、上記押出し器のバレルを、上記ロッドが移動可能に挿通されるバレル本体を備えて構成し、該バレル本体の一端側側面に上記カートリッジを上記バレル内部に入れることが可能な大きさの開口を形成し、上記バレル本体の一端に上記開口から入れられた上記シリンダの先端部側が挿通されて突出され該バレル本体の内径より小径の挿通孔を形成し、該挿通孔の周縁部を上記カートリッジの鍔部が係止される係止部として構成している。これにより、カートリッジを押出し器に取り付けるときは、シリンダの先端部側をバレル本体の一端側に向けた状態で、カートリッジをバレル本体の開口からバレル本体内に入れるとともに、カートリッジをバレル本体の一端側に移動させて、挿通孔にシリンダの先端部を挿通させて突出させる。そして、更にカートリッジをバレルの一端側に移動させていき、カートリッジの鍔部を係止部に係止させる。この場合、カートリッジを開口から入れて挿通孔に挿通するだけのワンタッチの操作で取り付けることができるので、カートリッジの押出し器への取り付けを容易に行なうことができ、作業性が向上させられる。また、カートリッジを押出し器から取り外すときは、カートリッジをバレル本体の他端側に移動させ、カートリッジをバレル本体の開口から取り出す。このときも、カートリッジを開口を通して抜き出すだけの簡単な操作で取り外すことができるので、作業性が向上させられる。
【００１３】
更に、必要に応じ、上記カートリッジのシリンダの基端部に雄ネジ及び雌ネジのいずれか一方を形成し、上記押出し器のバレルを、上記ロッドが移動可能に挿通されるバレル本体を備えて構成し、該バレル本体の一端部に上記シリンダの基端部に形成した雄ネジ及び雌ネジのいずれか一方に螺合する雄ネジ及び雌ネジのいずれか他方を形成した構成としている。これにより、カートリッジを押出し器に取り付けるときは、シリンダの基端部に形成した雄ネジ及び雌ネジのいずれか一方を、バレル本体の一端側に形成した雄ネジ及び雌ネジのいずれか他方に螺合させる。螺合させるだけの簡単な操作で取り付けることができるので、カートリッジの押出し器への取り付けを容易に行なうことができ、作業性が向上させられる。また、カートリッジを押出し器から取り外すときは、シリンダの基端部とバレル本体の一端側とのネジの螺合を解除することにより行なう。螺合を解除させるだけの簡単な操作で取り外すことができるので、作業性が向上させられる。
【００１４】
更にまた、必要に応じ、上記シリンダを樹脂で形成し、その先端部を、予め封止され使用時に切断されて上記収容空間内の薬剤を吐出させる吐出口を形成可能にした構成としている。これにより、使用前においては、シリンダの先端部を封止しておくので、使用しないときに薬剤がシリンダから漏れ出ることを防止することができ、薬剤の保存性に優れる。また、使用しないときにはシリンダの先端部を封止しておくので、吐出口及び薬剤に病原菌が付着する事態を防止でき、それだけ、カートリッジを衛生的に保つことができる。更に、シリンダの先端部を切断する位置によって、吐出口の口径の大きさを適宜の大きさに形成することができ、そのため、被塗布部位に必要量の薬剤を塗布し易くすることができる。使用後も吐出口の穴が開くことになるので、カートリッジに薬剤を再充填することが非常に困難になり、使用後のカートリッジを再使用することを防止して、薬剤塗布装置を介した病原菌の感染を防止することができる。
【００１５】
また、上記目的を達成するための本発明の薬剤塗布装置用カートリッジは、上記に記載の薬剤塗布装置に用いられる薬剤塗布装置用カートリッジにある。上記と同様の作用，効果を奏する。
【発明の効果】
【００１６】
本発明によれば、使用時にロッドを押してピストンをシリンダ内に押し込んで薬剤を吐出させるが、ピストンを押しきれば、ピストンの前端部がシリンダの収容空間の先端部に嵌合されるので、シリンダの収容空間内の薬剤が殆ど全部押出されるようになり、そのため、収容空間内に収容された薬剤を無駄なく経済的に使用することができる。また、本発明のカートリッジを製造するときは、シリンダの基端部に形成された開放口から収容空間内に薬剤を充填し、それから、ピストンを開放口に嵌合させて、このピストンによって開放口を封止することにより行なうが、シリンダの基端部に開放口が形成されているので、薬剤を収容空間内に充填し易くなり、また、ピストンを嵌合させるだけで開放口を封止できるので、開放口の封止が比較的容易であり、そのため、従来に比較してカートリッジの製造が容易になり、製造効率を向上させることができる。
【発明を実施するための最良の形態】
【００１７】
以下、添付図面に基づいて本発明の実施の形態に係る薬剤塗布装置及びこれに用いられる薬剤塗布装置用カートリッジを説明する。
図１乃至図７には、本発明の第一の実施の形態に係る薬剤塗布装置Ｓを示している。本薬剤塗布装置Ｓは、流動状の薬剤Ｙ（例えば、歯周ポケットに塗布する歯周病治療用の薬剤）が充填され先端先細りの先端部１１から薬剤Ｙを吐出させる本発明の第一の実施の形態に係るカートリッジ１と、一端４１側にカートリッジ１が着脱可能に取り付けられる筒状のバレル４０及びバレル４０の他端４２側から進出可能に挿通され進出によりカートリッジ１内の薬剤Ｙを押出すロッド５０を有した押出し器３０とを備えて構成されている。
【００１８】
カートリッジ１は、基端部１２に開放口１３が形成されるとともに開放口１３に連続して形成され薬剤Ｙを収容する先端先細りの収容空間１４を有したシリンダ１０と、シリンダ１０の開放口１３に嵌合されて開放口１３を封止するとともに押出し器３０のロッド５０に押圧されてシリンダ１０の収容空間１４内を摺接移動する後端部２１及び後端部２１に一体に設けられ移動させられてシリンダ１０の収容空間１４の先端部１４ａに嵌合する前端部２２からなるピストン２０とを備えて構成されている。
【００１９】
シリンダ１０は、樹脂で形成され、その先端部１１が予め封止されており、使用時において、所望位置で切断されることにより、収容空間１４内の薬剤Ｙを吐出させる吐出口１５が形成可能になっている。このシリンダ１０は、実施の形態では、軸線が途中から屈曲してシリンダ１０全体が屈曲形成されており、基端部１２に円形状の開放口１３が形成されるとともに、この開放口１３に連続しシリンダ１０の形状と相似形に形成された収容空間１４を有している。また、このシリンダ１０の基端部１２外周には、鍔部１６が設けられている。この鍔部１６は、シリンダ１０の基端部１２外周を囲繞するリング状に形成されている。
【００２０】
ピストン２０は、シリンダ１０の収容空間１４に倣って変形可能な部材で形成されている。実施の形態では、シリコーンゴム等の弾性部材からなるゴムで形成されている。後端部２１は、実施の形態では、円柱状に形成され、シリンダ１０の開放口１３に嵌合されている。前端部２２は、実施の形態では、シリンダ１０の収容空間１４の先端部１１に嵌合する先端先細りの円錐状に形成され、後端部２１に一体形成されている。
【００２１】
押出し器３０を構成するバレル４０は、ロッド５０が移動可能に挿通されるバレル本体４３を備えて構成されている。このバレル本体４３は、例えば、樹脂や金属等の消毒に耐えうる材質で構成され、中空の円柱状に形成されている。実施の形態では、樹脂で構成されている。また、このバレル４０は、バレル本体４３の一端４１側側面にカートリッジ１をバレル本体４３内部に入れることが可能な大きさの開口４４が形成され、バレル本体４３の一端４１に開口４４から入れられたシリンダ１０の先端部１１側が挿通されて突出されバレル本体４３の内径より小径の挿通孔４５が形成され、挿通孔４５の周縁部がカートリッジ１の鍔部１６が係止される係止部４６として構成されている。更に、このバレル本体４３の他端４２側外周には、使用時に指を掛けることが可能な指掛け部４７が形成されている。この指掛け部４７は、バレル本体４３に一体形成されている。
【００２２】
また、押出し器３０を構成するロッド５０は、バレル本体４３の他端４２側から挿通されて移動可能に挿通される円柱状に形成されている。このロッド５０の前方部５１は、ピストン２０の後端部２１を押圧可能に形成されており、その径がロッド５０の後方部５２よりも小径に形成されている。また、このロッド５０の後方部５２には、使用時に指でロッド５０を押し込むことが可能な大径のロッド押し込み部５３が形成されている。このロッド押し込み部５３は、ロッド５０に一体形成されている。
【００２３】
次に、この第一の実施の形態に係るカートリッジ１を製造する場合について説明する。予め、シリンダ１０及びピストン２０を型成形しておく。そして、先ず、カートリッジ１に薬剤Ｙを封入する。カートリッジ１に薬剤Ｙを封入する際は、シリンダ１０の基端部１２に形成された開放口１３から収容空間１４内に薬剤Ｙを充填し、それから、ピストン２０を開放口１３に嵌合させて、このピストン２０によって開放口１３を封止することにより行なう。必要に応じ、ピストン２０の後端部２１の外周とシリンダ１０との間にシール部材を塗布する。このとき、充填する薬剤Ｙの量を、一度の治療で使いきれる量とし、カートリッジ１を一度の治療で使いきれるサイズに形成する。シリンダ１０の基端部１２に開放口１３が形成されているので、薬剤Ｙを収容空間１４内に充填し易い。また、ピストン２０を嵌合させるだけで開放口１３を封止できるので、開放口１３の封止が比較的容易であり、そのため、カートリッジ１の製造効率を向上させることができる。
【００２４】
従って、この第一の実施の形態に係る薬剤塗布装置Ｓを用いて、被塗布部位に薬剤Ｙを塗布するときは、以下のようにする。ここでは、歯科治療において、口腔内等の非常に狭い部位に薬剤Ｙを塗布する場合について説明する。
先ず、カートリッジ１をバレル本体４３の一端４１側に取り付ける。取り付ける際は、図３及び図４に示すように、シリンダ１０の先端部１１側をバレル本体４３の一端４１側に向けた状態で、カートリッジ１をバレル本体４３の開口４４からバレル本体４３内に入れるとともに、カートリッジ１をバレル本体４３の一端４１側に移動させて、挿通孔４５にシリンダ１０の先端部１１を挿通させて突出させる。そして、更にカートリッジ１をバレル本体４３の一端４１側に移動させていき、カートリッジ１の鍔部１６を係止部４６に係止させる。この場合、カートリッジ１を開口４４から入れて挿通孔４５に挿入するだけのワンタッチの操作で取り付けることができるので、カートリッジ１の押出し器３０への取り付けを容易に行なうことができ、作業性が向上させられる。
【００２５】
次に、図５に示すように、封止されているシリンダ１０の先端部１１を所望位置で切断して吐出口１５を形成する。このとき、シリンダ１０は先端先細りに形成されているので、先端部１１の先端に近い箇所を切断すると吐出口１５の口径は小さく形成され、先端部１１であってシリンダ１０の基端に近い箇所を切断すると吐出口１５の口径は大きく形成されるようになる。即ち、リンダの先端部１１を切断する位置によって、吐出口１５の口径の大きさを適宜の大きさに形成することができるので、被塗布部位に必要量の薬剤Ｙを塗布し易くすることができる。また、使用前においては、シリンダ１０の先端部１１を封止しておくので、使用しないときに薬剤Ｙがシリンダ１０から漏れ出ることを防止することができ、そのため、薬剤Ｙの保存性に優れる。更に、使用しないときにはシリンダ１０の先端部１１を封止しておくので、吐出口１５及び薬剤Ｙに病原菌が付着する事態を防止でき、それだけ、カートリッジ１を衛生的に保つことができる。
【００２６】
それから、バレル本体４３の一端４１側を口腔内に挿入し、カートリッジ１を被塗布部位近傍に近接させ、その後、例えば、人差し指と中指とでバレル本体４３を挾持するとともに、この二本の指を指掛け部４７に掛け、親指でロッド５０のロッド押し込み部５３を押して、ロッド５０をバレル本体４３の一端４１側へ押し込む。これにより、片手で容易にロッド５０を押し込むことができる。ロッド５０を押し込むと、図６に示すように、ピストン２０の後端部２１がロッド５０に押圧され、後端部２１がシリンダ１０の収容空間１４に倣って収容空間１４内を先端部１１側に摺接移動するようになる。これによって収容空間１４内の薬剤Ｙが押出されて、薬剤Ｙが先端部１１の吐出口１５から吐出され、被塗布部位に薬剤Ｙが塗布される。このとき、ロッド５０を僅かずつ押せば、薬剤Ｙを僅かずつ吐出させることができる。
【００２７】
そして、図７に示すように、ピストン２０を押しきれば、ピストン２０の前端部２２がシリンダ１０の収容空間１４の先端部１４ａに嵌合する形状に形成されているので、この前端部２２が収容空間１４の先端部１４ａに嵌合される。このとき、本実施の形態のように、シリンダ１０が屈曲形成されている場合には、収容空間１４も曲がり、ピストン２０が移動し難くなるが、ピストン２０がシリンダ１０の収容空間１４に倣って変形することができるので、ピストン２０が収容空間１４の形状に倣って移動することができ、そのため、ピストン２０の前端部２２が収容空間１４の先端部１４ａに確実に嵌合するようになる。その結果、シリンダ１０の収容空間１４内の薬剤Ｙが殆ど全部押出されるようになり、そのため、収容空間１４内に収容された薬剤Ｙを無駄なく経済的に使用することができる。
【００２８】
そして、シリンダ１０の収容空間１４内に収容されている薬剤Ｙが無くなったならば、カートリッジ１を押出し器３０から取り外す。取り外す際は、カートリッジ１をバレル本体４３の他端４２側に移動させ、カートリッジ１をバレル本体４３の開口４４から取り出す。このときも、カートリッジ１を開口４４を通して抜き出すだけの簡単な操作で取り外すことができるので、作業性が向上させられる。
【００２９】
この使用後のカートリッジ１は、ピストン２０がシリンダ１０内の先端部１４ａに押し込まれた状態となっているので、ピストン２０をシリンダ１０内から取り出すことは非常に困難であり、押出し器３０から取り外した使用後のカートリッジ１に薬剤Ｙを再充填することが非常に困難になるため、使用後のカートリッジ１を再使用することを防止して、薬剤塗布装置Ｓを介した病原菌の感染を防止することができる。また、使用後のカートリッジ１には吐出口１５の穴が開くことになるので、カートリッジ１に薬剤Ｙを再充填することが非常に困難になり、この点でも、使用後のカートリッジ１を再使用することを防止して、薬剤塗布装置Ｓを介した病原菌の感染を防止することができる。更に、カートリッジ１には、一度の治療で使いきれる量の薬剤Ｙを充填しているので、この点でも、カートリッジ１を使い捨てにすることができ、吐出口１５及び薬剤Ｙに病原菌が付着する事態を防止して、薬剤塗布装置Ｓを介した病原菌の感染を防止することができる。
【００３０】
また、押出し器３０は、消毒に耐えうる材質で構成されているので、一つのカートリッジ１を使いきったら、押出し器３０を消毒して、新しいカートリッジ１を消毒済みの押出し器３０に取り付け、上記と同様に被塗布部位に薬剤Ｙを塗布することが可能である。このため、カートリッジ１のみを取り替えれば良いので、経済的である。
【００３１】
図８及び図９には、本発明の第二の実施の形態に係る薬剤塗布装置Ｓ及びこれに用いられる薬剤塗布装置用カートリッジ１を示している。
これは、上記第一の実施の形態とは異なって、カートリッジ１のシリンダ１０の基端部１２に雄ネジ及び雌ネジのいずれか一方が形成され、押出し器３０のバレル４０を、ロッド５０が移動可能に挿通されるバレル本体４３を備えて構成し、バレル本体４３の一端４１部にシリンダ１０の基端部１２に形成した雄ネジ及び雌ネジのいずれか一方に螺合する雄ネジ及び雌ネジのいずれか他方が形成されて構成されている。
【００３２】
詳しくは、シリンダ１０は、樹脂で形成され、その先端部１１が予め封止されており、使用時において、所望位置で切断されることにより、収容空間１４内の薬剤Ｙを吐出させる吐出口１５が形成可能になっている。このシリンダ１０は、実施の形態では、軸線が途中から屈曲してシリンダ１０全体が屈曲形成されており、基端部１２に円形状の開放口１３が形成されるとともに、この開放口１３に連続しシリンダ１０の形状と相似形に形成された収容空間１４を有している。また、このシリンダ１０の基端部１２には、筒状の延設部６０が連設され、この延設部６０に、実施の形態では、雌ネジ６１が設けられている。
【００３３】
押出し器３０を構成するバレル４０は、ロッド５０が移動可能に挿通されるバレル本体４３を備えて構成されている。このバレル本体４３は、例えば、樹脂や金属等の消毒に耐えうる材質で構成され、中空の円柱状に形成されている。実施の形態では、樹脂で構成されている。また、このバレル本体４３の一端４１の外側には、シリンダ１０の延設部６０に形成した雌ネジ６１に螺合する雄ネジ６２が形成されている。更に、このバレル本体４３の他端４２側外周には、使用時に指を掛けることが可能な指掛け部４７が形成されている。この指掛け部４７は、バレル本体４３に一体形成されている。
尚、シリンダ１０の基端部１２側に雄ネジを形成し、バレルの一端４１にシリンダ１０の雄ネジに螺合する雌ネジを形成しても良い。
その他の構成は、上記第一の実施の形態と同様である。
【００３４】
この第二の実施の形態に係る薬剤塗布装置Ｓを用いて、被塗布部位に薬剤Ｙを塗布するときは、以下のようにする。本第二の実施の形態において、上記第一の実施の形態と異なる点は、カートリッジ１の押出し器３０への取り付け，取り外しのみであるので、以下に、カートリッジ１の押出し器３０への取り付け，取り外しについて説明する。
【００３５】
カートリッジ１を押出し器３０に取り付けるときは、シリンダ１０の延設部６０に形成された雌ネジ６１にバレル本体４３の一端４１に形成された雄ネジ６２を螺合させる。螺合させるだけの簡単な操作で取り付けることができるので、カートリッジ１の押出し器３０への取り付けを容易に行なうことができ、作業性が向上させられる。
また、カートリッジ１を押出し器３０から取り外すときは、シリンダ１０とバレル本体４３とのネジの螺合を解除することにより行なう。螺合を解除させるだけの簡単な操作で取り外すことができるので、作業性が向上させられる。
【００３６】
尚、上記実施の形態において、本発明の薬剤塗布装置Ｓを歯科治療に用いたが、必ずしもこれに限定されるものではないことは勿論である。
また、上記実施の形態において、カートリッジ１と押出し器３０との取り付け，取り外し構造は、必ずしも上記の構造に限定されるものではなく、適宜変更して差支えない。
【００３７】
尚また、上記実施の形態において、ピストン２０をゴムで形成したが、必ずしもこれに限定されるものではなく、シリンダ１０の収容空間１４に倣って変形可能な部材であれば良く、適宜変更して差支えない。
また、上記実施の形態において、シリンダ１０を、その軸線が途中から屈曲して全体を屈曲形成したが、必ずしもこれに限定されるものではなく、例えば、図１０に示すように、軸線がストレートで全体をストレートに形成する等、種々の形状に形成しても良く、適宜変更して差支えない。シリンダ１０をストレートに形成した場合、このシリンダ１０の基端部１２に嵌合されるピストン２０は、変形可能な部材でなくても良く、シリンダ１０の形状に対応してピストン２０を形成する部材を適宜変更して差支えない。
更に、上記実施の形態において、バレル４０を樹脂で構成したが、必ずしもこれに限定されるものではなく、例えば、金属等で構成しても良く、適宜変更して差支えない。この際、バレル４０を再使用する場合には、バレル４０を消毒に耐えうる材質で構成することが望ましい。
また、シリンダ１０はその先端部１１が封止された構造となっているが、必ずしもこれに限定されるものではなく、先端部１１に予め吐出口が形成されているものであってもよい。粘性の比較的高い（流動性の比較的低い）薬剤は勿論、粘性の比較的低い薬剤であっても、表面張力によって微小な吐出口から流れ出すことはなく、先端部１１に予め吐出口が形成されていても特に問題はない。
【図面の簡単な説明】
【００３８】
【図１】本発明の第一の実施の形態に係る薬剤塗布装置を示す斜視図である。
【図２】本発明の第一の実施の形態に係る薬剤塗布装置を示す分解斜視図である。
【図３】本発明の第一の実施の形態に係るカートリッジの押出し器への取り付け時の状態を示す斜視図である。
【図４】本発明の第一の実施の形態に係る薬剤塗布装置を示し、カートリッジを押出し器に取り付けた状態を示す側面断面図である。
【図５】本発明の第一の実施の形態に係る薬剤塗布装置を示し、シリンダの先端部に吐出口を形成した状態を示す側面断面図である。
【図６】本発明の第一の実施の形態に係る薬剤塗布装置を示し、ロッドを押し込んだ状態を示す側面断面図である。
【図７】本発明の第一の実施の形態に係る薬剤塗布装置を示し、ピストンの前端部が吐出口に嵌合した状態を示す側面断面図である。
【図８】本発明の第二の実施の形態に係る薬剤塗布装置を示す分解斜視図である。
【図９】本発明の第二の実施の形態に係る薬剤塗布装置を示し、カートリッジを押出し器に取り付けた状態を示す側面断面図である。
【図１０】本発明の実施の形態に係るカートリッジの変形例を示す斜視図である。
【図１１】従来の薬剤塗布装置及びカートリッジの一例を示す図である。
【符号の説明】
【００３９】
Ｓ  薬剤塗布装置
Ｙ  薬剤
１  カートリッジ
１０  シリンダ
１１  先端部
１２  基端部
１３  開放口
１４  収容空間
１５  吐出口
１６  鍔部
２０  ピストン
２１  後端部
２２  前端部
３０  押出し器
４０  バレル
４１  一端
４２  他端
４３  バレル本体
４４  開口
４５  挿通孔
４６  係止部
４７  指掛け部
５０  ロッド
５１  前方部
５２  後方部
５３  ロッド押し込み部
６０  延設部
６１  雌ネジ
６２  雄ネジ
【図１】
2010099135.tif 000003
【図２】
2010099135.tif 000004
【図３】
2010099135.tif 000005
【図４】
2010099135.tif 000006
【図５】
2010099135.tif 000007
【図６】
2010099135.tif 000008
【図７】
2010099135.tif 000009
【図８】
2010099135.tif 000010
【図９】
2010099135.tif 000011
【図１０】
2010099135.tif 000012
【図１１】
2010099135.tif 000013